(57)【要約】【課題】表示部と吸湿剤との間隔を最小化し、製造工程が簡単な有機電界発光表示装置を提供する。【解決手段】有機電界発光表示装置は、第１基板２１０及び第２基板２６０と、前記第１基板２１０上に形成された表示部Ａと、第２基板には吸湿剤２６５が設けられ、前記第１基板２１０と第２基板２６０との間は第１シーラント２７０Ａ，第２シーラント２７０Ｂにより接着され、その間にフィルム２９０を含む。第１基板２１０の延長部とフィルム２９０との間に、異方性導電フィルム２５０を介して第１パッド部２８０Ａ、第２パッド部２８０Ｂを設ける。フィルム２９０の端部には、駆動部２９５が設けられる。【選択図】図２ｃ
2007180032.tif 000002
【特許請求の範囲】
【請求項１】
第１基板及び第２基板と、
前記第１基板上に形成された表示部と、
前記第１基板と第２基板との間に設けられ、前記表示部に対応する領域上に開放部が形成されたフィルムと、
を含む有機電界発光表示装置。
【請求項２】
前記第１基板は、前記表示部の外側に形成された第１シーラントを含み、前記第２基板は、前記第１シーラントと対応する領域上に設けられた第２シーラントを含み、
前記フィルムは、前記第１シーラント及び第２シーラントにより第１基板及び第２基板と接着される請求項１に記載の有機電界発光表示装置。
【請求項３】
前記フィルムは、前記第１基板または第２基板の少なくとも何れか一方の外側に延長されている請求項１に記載の有機電界発光表示装置。
【請求項４】
前記フィルムの延長された領域上に設けられた駆動部を、さらに含む請求項３に記載の有機電界発光表示装置。
【請求項５】
前記第１基板上に、前記表示部に電気的信号を供給する第１パッド部が設けられ、
前記フィルム上に、前記駆動部と電気的に接続され、第１パッド部と対応する領域上に形成されて、第１パッド部と電気的に接続された第２パッド部を含む請求項４に記載の有機電界発光表示装置。
【請求項６】
前記第１パッド部は、前記表示部に電気的信号を供給するための配線の一方に形成された請求項５に記載の有機電界発光表示装置。
【請求項７】
前記第１パッド部と第２パッド部とは、異方性導電フィルム（ＡＣＦ）により接触される請求項５に記載の有機電界発光表示装置。
【請求項８】
前記表示部は、第１電極、第２電極、及びこれら二電極の間に介在する有機発光層を含む複数のサブピクセルを含む請求項１に記載の有機電界発光表示装置。
【請求項９】
前記第２基板上に形成された吸湿剤をさらに含む請求項１に記載の有機電界発光表示装置。
【請求項１０】
第１基板及び第２基板と、
前記第１基板及び第２基板上に形成された第１表示部及び第２表示部と、
前記第１基板と第２基板との間に設けられ、前記第１表示部及び第２表示部に対応する領域上に開放部が形成されたフィルムと
を含む有機電界発光表示装置。
【請求項１１】
前記第１基板は、前記表示部の外側に形成された第１シーラントを含み、前記第２基板は、前記第１シーラントと対応する領域上に位置する第２シーラントを含み、
前記フィルムは、前記第１シーラント及び第２シーラントにより前記第１基板及び第２基板と接着される請求項１０に記載の有機電界発光表示装置。
【請求項１２】
前記フィルムは、前記第１基板または第２基板の両側の外部に延長されている請求項１０に記載の有機電界発光表示装置。
【請求項１３】
前記フィルムの延長された領域上に設けられた第１駆動部及び第２駆動部を、さらに含む請求項１２に記載の有機電界発光表示装置。
【請求項１４】
前記基板上に、前記第１表示部及び第２表示部に電気的信号を供給する第１パッド部及び第２パッド部が設けられ、
前記フィルム上に前記第１駆動部と電気的に接続され、第１パッド部と対応する領域上に形成されて第１パッド部と電気的に接続された第３パッド部、及び前記第２駆動部と電気的に接続され、第２パッド部と対応する領域上に形成されて第２パッド部と電気的に接続された第４パッド部を含む請求項１３に記載の有機電界発光表示装置。
【請求項１５】
前記第１駆動部及び第３パッド部は、前記フィルムの何れかの一面上に位置し、第２駆動部及び第４パッド部は、前記フィルムの他の一面上に位置する請求項１４に記載の有機電界発光表示装置。
【請求項１６】
前記第１パッド部及び第３パッド部並びに第２パッド部及び第４パッド部は、異方性導電フィルム（ＡＣＦ）により接触される請求項１４に記載の有機電界発光表示装置。
【請求項１７】
前記第１パッド部及び第２パッド部は、前記表示部に電気的信号を供給するための配線の一方に形成された請求項１４に記載の有機電界発光表示装置。
【請求項１８】
前記第１表示部及び第２表示部は、第１電極、第２電極、及び二電極の間に介在する有機発光層を含む複数のサブピクセルを含む請求項１０に記載の有機電界発光表示装置。
【請求項１９】
前記第１表示部の大きさ及び第２表示部の大きさは、互いに異なる請求項１０に記載の有機電界発光表示装置。
【発明の詳細な説明】
【技術分野】
【０００１】
本発明は、有機電界発光表示装置に関する。
【背景技術】
【０００２】
フラットパネルディスプレイ（Flat Panel Display）のうち、電界発光表示装置（Field  Emission Display）は、応答速度が高く、消費電力が低いという長所を持つ。また、電界発光表示装置は、バックライトを必要としないため、軽量薄型が可能である。
【０００３】
特に、有機電界発光表示装置は、アノードとカソードとの間に有機発光層を含んでおり、アノードから供給される正孔とカソードから受けた電子が有機発光層内で結合して、正孔−電子対である励起子（ｅｘｃｉｔｏｎ）を形成し、再度、励起子が基底状態に戻るときに発生するエネルギーにより発光する。
【０００４】
図１ａは、従来の有機電界発光表示装置の第１基板を示す平面図であり、図１ｂは、従来の有機電界発光表示装置を示す斜視図であり、図１ｃは、図１ｂのＩ−Ｉ´線の断面図である。
【０００５】
図１ａ〜図１ｃに示すように、従来の有機電界発光表示装置１００は、第１基板１１０上に表示部Ａが位置する。表示部Ａは、ストライプ状に形成されたアノード１２０、アノード１２０と交差するようにカソード１３０が形成されており、アノード１２０とカソード１３０との間には、発光層（図示せず）が位置する。
【０００６】
第１基板の一方には、アノード１２０とカソード１３０に電気的信号を印加するための駆動部１４０が位置し、駆動部１４０は、スキャン配線１１７Ａ、１１７Ｂ及びデータ配線１１８を介してアノード１２０とカソード１３０に電気的信号を印加する。
【０００７】
表示部Ａの外側領域には、シーラント１７０が塗布され、表示部Ａが形成された第１基板１１０は、前記シーラント１７０によりカプセル化基板である第２基板１６０と接着される。第２基板１６０の内側には、吸湿剤１６５が設けられる。
【０００８】
上記のような有機電界発光表示装置は、基板１１０上に駆動部１４０及び配線１１７Ａ、１１７Ｂ、１１８を形成する工程が複雑なため、工程時間が長くなるという問題があった。
【０００９】
また、外部から衝撃が加えられた場合、第２基板１６０に設けられた吸湿剤１６５と第１基板１１０に形成された表示部Ａとが接触して、表示部Ａに暗点またはラインエラーが発生することによって、有機電界発光表示装置の画質を低下させるという問題があった。
【発明の開示】
【発明が解決しようとする課題】
【００１０】
そこで、本発明は、上述の問題点に鑑みてなされたもので、その目的は、表示部と吸湿剤との接触を最小化し、製造工程が簡単な有機電界発光表示装置を提供することにある。
【課題を解決するための手段】
【００１１】
上記の目的を達成すべく、本発明に係る有機電界発光表示装置は、第１基板及び第２基板と、前記第１基板上に形成された表示部と、前記第１基板と第２基板との間に位置し、前記表示部に対応する領域上に開放部が形成されたフィルムとを含む。
【００１２】
また、本発明の機電界発光表示装置は、第１基板及び第２基板と、前記第１基板及び第２基板上に形成された第１表示部及び第２表示部と、前記第１基板と第２基板との間に設けられ、前記第１表示部及び第２表示部に対応する領域上に開放部が形成されたフィルムとを含む。
【発明の効果】
【００１３】
本発明によれば、表示部と吸湿剤との間隔を最小化し、製造工程が簡単な有機電界発光表示装置を実現することができる。
【発明を実施するための最良の形態】
【００１４】
以下、添付した図面を参照して、実施形態を説明する。しかしながら、本発明は、以下に記述される実施形態に限定されるものではなく、多様な形態で実現されることができる。図において、１つの層が他の異なる層または基板の上に設けられると記載される場合、その層が、前記他の層または基板上に直接形成されるか、または他の層がその間に介在することができる。類似の参照符号は、類似の構成要素を示す。
【００１５】
＜第１の実施形態＞
図２ａは、本発明の第１の実施形態に係る有機電界発光表示装置の第１基板を示した平面図であり、図２ｂは、本発明の第１の実施形態に係る有機電界発光表示装置を示す斜視図であり、図２ｃは、図２ｂのＩＩ−ＩＩ´線の断面図であり、図２ｄ及び図２ｅは、図２ｃのＩＩＩ−ＩＩＩ´線の断面図である。
【００１６】
図２ａ〜図２ｃに示すように、第１の実施形態に係る電界発光表示装置２００は、第１基板２１０上に表示部Ａが設けられる。表示部Ａは、ストライプ状に形成されたアノード２２０、アノード２２０と交差するようにカソード２３０が形成されており、アノード２２０とカソード２３０との間には、発光層（図示せず）が設けられる。
【００１７】
ここで、図２ｄ及び図２ｅを参照して、表示部Ａの構造を詳細に説明する。図２ｄに示すように、第１基板２１０上にアノード２２０が設けられる。アノード２２０は、酸化インジウム錫（ＩＴＯ）、酸化インジウム亜鉛（ＩＺＯ）などのような透明導電膜で形成することができる。
【００１８】
アノード２２０上に絶縁膜２２３が位置する。絶縁膜２２３は、アノード２２０の一部を露出させる開口部２２５を含むことができ、開口部２２５を除いた絶縁膜２２３上に、逆テーパー状の隔壁２２９が設けられる。
【００１９】
開口部２２５内には、発光層２２７が形成される。ここで図示していないが、開口部２２５内のアノード２２０と発光層２２７との間には、正孔注入層及び／または正孔輸送層を設けることができ、発光層２２７上には、電子輸送層及び／または電子注入層が設けられる。
【００２０】
発光層２２７上には、カソード２３０が形成される。カソード２３０は、仕事関数の低いアルミニウム、マグネシウムなどを含むことができ、隔壁２２９によりパターニングされ得る。
【００２１】
図２ｅに示すように、前記表示部Ａは、アノード２２０、発光層２２７及びカソード２３０を含む発光ダイオードを駆動するための薄膜トランジスタ（Ｔ）を含むこともできる。薄膜トランジスタ（Ｔ）は、基板２１０上に形成される半導体層２１１、ゲート絶縁膜２１２、ゲート電極２１３、層間絶縁膜２１４、ソース電極及びドレイン電極２１５Ａ、２１５Ｂを含むことができ、アノード２２０は、パッシべーション層２１６を貫通してドレイン電極２１５Ｂと接続される。
【００２２】
また、図２ａ〜図２ｃに示すように、上記のような構造を有する表示部Ａは、スキャン配線２１７Ａ、２１７Ｂ及びデータ配線２１８と接続される。スキャン配線２１７Ａ、２１７Ｂは、左右交互に形成され、スキャン配線２１７Ａ、２１７Ｂ及びデータ配線２１８の末端には、第１パッド部２８０Ａが設けられる。そして、表示部Ａのエッジ領域には、第１シーラント２７０Ａが塗布される。
【００２３】
第１基板２１０と対応するように、第２基板２６０が設けられる。第２基板２６０の一面には、吸湿剤２６５が設けられ、第１シーラント２７０Ａと対応する位置に第２シーラント２７０Ｂが設けられる。
【００２４】
第１基板２１０と第２基板２６０との間には、フィルム２９０が設けられる。フィルム２９０は、表示部Ａと対応する領域上に開放部２８０を含んでおり、第１シーラント及び第２シーラント２７０ａ、２７０Ｂにより、第１基板２１０及び第２基板２６０と接着さる。したがって、フィルム２９０は、表示部Ａの外側領域に設けられ、フィルムの幅は、表示部Ａより大きく、第１基板２１０または第２基板２６０の幅より小さい。
【００２５】
フィルム２９０は、前記第１基板または第２基板の少なくとも何れか一方の外側に伸ばす（延長する）ことができ、前記フィルムの伸びた領域上に駆動部２９５を設けることができる。
【００２６】
そして、前記第１パッド部２８０Ａと対応する領域のフィルム２９０上には、第２パッド部２８０Ｂが設けられる。第２パッド部２８０Ｂは、駆動部２９５と電気的に接続される。第１パッド部２８０Ａと第２パッド部２８０Ｂは、第１基板と第２基板との接着時に異方性導電フィルムＡＣＦ（Ａｎｉｓｏｔｒｏｐｉｃ  Ｃｏｎｄｕｃｔｉｖｅ  Ｆｉｌｍ）２８５に接触し、これにより、第２パッド部２８０Ｂは、駆動部２９５からの駆動信号を第１パッド部２８０Ａに供給できる。
【００２７】
上述のように、本発明の第１の実施形態に係る有機電界発光表示装置は、第１基板２１０と第２基板２６０との間に駆動部２９５が実装されたフィルム２９０を含む。したがって、フィルム２９０により第１基板２１０と第２基板２６０との間の間隔を確保することができ、駆動部２９５を実装できるＣＯＦ（Ｃｈｉｐ  ｏｎ  Ｆｉｌｍ）を実現することができる。
【００２８】
＜第２の実施形態＞
図３ａは、本発明の第２の実施形態に係る有機電界発光表示装置の第１基板を示した平面図であり、図３ｂは、本発明の第２の実施形態に係る有機電界発光表示装置を示す斜視図であり、図３ｃは、図３ｂのＩＩ−ＩＩ´線の断面図である。
【００２９】
図３ａ〜図３ｃに示すように、第２の実施形態に係る電界発光表示装置３００は、第１基板３１０上に表示部Ａが設けられる。表示部Ａは、ストライプ状に形成されたアノード３２０、アノード３２０と交差するようにカソード３３０が形成されており、アノード３２０とカソード３３０との間には、発光層（図示せず）が設けられる。
【００３０】
上記のような構造を有する表示部Ａは、第１スキャンパッド部３１７Ａ、３１７Ｂ及び第１データパッド部３１８Ａに接続される。本発明の第２の実施形態において、表示部Ａに外部からの駆動信号を供給するための配線は、パッド状に形成される。第１スキャンパッド部３１７Ａ、３１７Ｂは、左右交互に形成される。そして、表示部Ａのエッジ領域には、第１シーラント３７０Ａが塗布される。
【００３１】
第１基板３１０と対向するように、第２基板３６０が位置する。第２基板３６０の一面には、吸湿剤３６５が設けられ、第１シーラント３７０Ａと対応する位置に第２シーラント３７０Ｂが設けられる。
【００３２】
第１基板３１０と第２基板３６０との間には、異方性導電フィルム３９０が設けられる。前記フィルム３９０は、表示部Ａと対応する領域上に開放部を含んでおり、第１シーラント３７０Ａ及び第２シーラント３７０Ｂにより、第１基板３１０及び第２基板３６０と接着される。したがって、フィルム３９０は、表示部Ａの外側領域に設けられ、フィルムの幅は、表示部Ａより大きく、第１基板３１０または第２基板３６０の幅と同一か又は小さい。
【００３３】
フィルム３９０は、前記第１基板または第２基板の少なくとも何れかの一方の外側に伸ばすことができ、前記フィルムの伸びた領域上に、駆動部３９５が設けられる。そして、前記第１スキャンパッド部３１７Ａ、３１７Ｂ及び第１データパッド部３１８と対応する領域のフィルム３９０上には、第２スキャンパッド部（図示せず）及び第２データパッド部３１８Ｂが設けられる。第２スキャンパッド部（図示せず）及び第２データパッド部３８０Ｂは、駆動部３９５と電気的に接続される。第１スキャンパッド部３１７Ａ、３１７Ｂと第２スキャンパッド部（図示せず）、第１データパッド部３１８Ａと第２データパッド部３１８Ｂは、第１基板と第２基板との接着時に異方性導電フイルムＡＣＦ３３７により接触し、これにより、第２スキャンパッド部（図示せず）及び第２データパッド部３１８Ｂは、駆動部３９５からの駆動信号を第１スキャンパッド部３１７Ａ、３１７Ｂ及び第１データパッド部３１８Ａに供給できる。
【００３４】
上述のように、本発明の第２の実施形態に係る有機電界発光表示装置は、第１基板３１０と第２基板３６０との間に駆動部３９５が実装されたフィルム３９０を含む。したがって、フィルム３９０により、第１基板３１０と第２基板３６０との間の間隔を確保することができ、駆動部３９５を実装できるＣＯＦを実現することができる。
【００３５】
また、本発明の第２の実施形態に係る有機電界発光表示装置は、配線をパッド状に形成したため、配線の形成に必要な空間を減らすことができることから、軽量薄型の有機電界発光表示装置を実現することができる。
【００３６】
＜第３の実施形態＞
図４ａ〜図４ｃに示すように、第３実施形態に係る電界発光表示装置４００は、第１基板４１０上に第１表示部Ａ１が設けられる。第１表示部Ａ１は、ストライプ状に形成された第１アノード４２０Ａ、第１アノード４２０Ａと交差するように第１カソード４３０Ａが形成されており、第１アノード４２０Ａと第１カソード４３０Ａとの間には、第１発光層（図示せず）が設けられる。
【００３７】
上記のような構造を有する第１表示部Ａ１は、第１スキャン配線４１７Ａ、４１７Ｂ及び第１データ配線４１８Ａに接続される。第１スキャン配線４１７Ａ、４１７Ｂは、左右交互に形成され、第１スキャン配線４１７Ａ、４１７Ｂ及び第１データ配線４１８の末端には、第１パッド部４８０Ａが設けられる。そして、表示部Ａのエッジ領域には、第１シーラント４７０Ａが塗布される。
【００３８】
第１基板４１０と対向するように、第２基板４６０が設けられる。第２基板４１０上に第２表示部Ａ２が設けられる。第２表示部Ａ２は、第１表示部Ａと対応する第２基板４６０上に設けられる。第２表示部Ａ２は、ストライプ状に形成された第２アノード４２０Ｂ、第２アノード４２０Ｂと交差するように第２カソード４３０Ｂが形成されており、第２アノード４２０Ｂと第２カソード４３０Ｂとの間には、第２発光層（図示せず）が設けられる。ここで、第２表示部Ａ２の大きさは、第１表示部Ａ１より小さい。
【００３９】
第２表示部Ａ２は、第２スキャン配線４１７Ｃ、４１７Ｄ及び第２データ配線４１８Ｂに接続される。第２スキャン配線４１７Ｃ、４１７Ｄは、左右交互に形成されることができ、第２スキャン配線４１７Ｃ、４１７Ｄ及び第２データ配線４１８Ｂの末端には、第２パッド部４８０Ｂが設けられる。そして、第１シーラント４７０Ａと対応する位置の第２基板４６０上には、第２シーラント４７０Ｂが設けられる。
【００４０】
第１基板４１０と第２基板４６０との間には、フィルム４９０が設けられる。フィルム４９０は、第１表示部Ａと対応する領域上に開放部４８０を含んでおり、第１シーラント４７０Ａ及び第２シーラント４７０Ｂにより、第１基板４１０及び第２基板４６０と合着する。したがって、フィルム４９０は、表示部Ａの外側領域に設けられ、フィルムの幅は、第１表示部Ａより大きく、第１基板４１０または第２基板４６０の幅と同一かまたは小さい。
【００４１】
フィルム４９０は、前記第１基板または第２基板の両側の外部に伸びており、前記フィルム４９０の伸びている両側の何れかの一面上に、第１駆動部４９５Ａが設けられ、他の一面上に第２駆動部４９５Ｂが設けられる。
【００４２】
そして、前記第１パッド部４８０Ａと対応するフィルム４９０の領域には、第３パッド部４８０Ｃが設けられ、前記第２パッド部４８０Ｂと対応するフィルム４９０の領域には、第４パッド部４８０Ｄが設けられる。第３パッド部４８０Ｃ及び第４パッド部４８０Ｄは、それぞれ第１駆動部４９５Ａ及び第２駆動部４９５Ｂと電気的に接続することができる。第１パッド部４８０Ａと第３パッド部４８０Ｃ、第２パッド部４８０Ｂと第４パッド部４８０Ｄは、第１基板４１０と第２基板４６０との接着時に第１ＡＣＦ４８５Ａ及び第２ＡＣＦ４８５Ｂにより接触し、これにより、第３パッド部４８０Ｃ及び第４パッド部４８０Ｄは、第１駆動部４９５Ａ及び第２駆動部４９５Ｂからの駆動信号を第１パッド部４８０Ａ及び第２パッド部４８０Ｂにそれぞれ供給できる。
【００４３】
上述のように、本発明の第３実施形態に係る有機電界発光表示装置は、２つの表示部Ａ１、Ａ２が形成された第１基板４１０と第２基板４６０との間に位置し、第１駆動部４９５Ａ及び第２駆動部４９５Ｂが実装されたフィルム４９０を含む。したがって、フィルム４９０により、第１基板４１０と第２基板４６０との間の間隔を確保することができ、第１駆動部４９５Ａ及び第２駆動部４９５Ｂを実装できるＣＯＦを実現することができる。
【００４４】
また、本発明の第３実施形態に係る有機電界発光表示装置は、両面発光型有機電界発光表示装置であって、２個の表示部が形成された２つの基板間にフィルムを介在して互いに接着されている。したがって、カプセル化基板を使用しなかったため、従来の両面発光型有機電界発光表示装置と比較して、軽量薄型の両面発光型有機電界発光表示装置を実現することができる。
【００４５】
本発明は、例示的な実施形態を参照して説明されたが、本発明の属する技術分野における通常の知識を有する者であれば、添付した特許請求の範囲で定義される本発明の思想を逸脱しない範囲内で、本発明を多様に変形できることは理解できるであろう。
【図面の簡単な説明】
【００４６】
【図１ａ】従来の有機電界発光表示装置の第１基板を示す平面図である。
【図１ｂ】従来の有機電界発光表示装置を示す斜視図である。
【図１ｃ】図１ｂのＩ−Ｉ´線の断面図である。
【図２ａ】本発明の第１の実施形態に係る有機電界発光表示装置の第１基板を示した平面図である。
【図２ｂ】本発明の第１の実施形態に係る有機電界発光表示装置を示す斜視図である。
【図２ｃ】図２ｂのＩＩ−ＩＩ´線の断面図である。
【図２ｄ】図２ｃのＩＩＩ−ＩＩＩ´線の断面図である。
【図２ｅ】図２ｃのＩＩＩ−ＩＩＩ´線の断面図である。
【図３ａ】本発明の第２の実施形態に係る有機電界発光表示装置の第１基板を示した平面図である。
【図３ｂ】本発明の第２の実施形態に係る有機電界発光表示装置を示す斜視図である。
【図３ｃ】図３ｂのＩＩ−ＩＩ´線の断面図である。
【図４ａ】本発明の第３実施形態に係る有機電界発光表示装置の第１基板を示した平面図である。
【図４ｂ】本発明の第３実施形態に係る有機電界発光表示装置を示す斜視図である。
【図４ｃ】図４ｂのＶ−Ｖ´線の断面図である。
【符号の説明】
【００４７】
２００、３００、４００  電界発光表示装置
２１０、３１０  第１基板
Ａ  表示部、Ａ１  第１表示部、Ａ２  第２表示部
２１１  半導体層
２１２  ゲート絶縁膜
２１３  ゲート電極
２１４  層間絶縁膜
２１５Ａ  ソース電極
２１５Ｂ  ドレイン電極
２１７Ａ、２１７Ｂ、４１７Ａ、４１７Ｂ  スキャン配線
２１８  データ配線
２２０、３２０  アノード
２２３  絶縁膜
２２５  開口部
２２７  発光層
２２９  隔壁
２３０、３３０  カソード
２６５、３６５  吸湿剤
２７０Ａ、３７０Ａ  第１シーラント
２７０Ｂ、３７０Ｂ  第２シーラント
２８０Ａ、３１７Ａ  第１パッド部
２８０Ｂ、３１７Ｂ  第２パッド部
２８５、３９０、４８５Ａ、４８５Ｂ  異方性導電フィルム
２９０  フイルム
２９５、３９５  駆動部
４９５Ａ  第１駆動部
４９５Ｂ  第２駆動部
【図１ａ】
2007180032.tif 000003
【図１ｂ】
2007180032.tif 000004
【図１ｃ】
2007180032.tif 000005
【図２ａ】
2007180032.tif 000006
【図２ｂ】
2007180032.tif 000007
【図２ｃ】
2007180032.tif 000008
【図２ｄ】
2007180032.tif 000009
【図２ｅ】
2007180032.tif 000010
【図３ａ】
2007180032.tif 000011
【図３ｂ】
2007180032.tif 000012
【図３ｃ】
2007180032.tif 000013
【図４ａ】
2007180032.tif 000014
【図４ｂ】
2007180032.tif 000015
【図４ｃ】
2007180032.tif 000016